(57)【要約】【課題】手摺枠の上昇時だけでなく下降時の操作性も向上させて作業効率を高め、また枠組足場からの手摺枠の脱落を確実に防止する。【解決手段】手摺枠１には両側部に建枠の脚柱Ｃに係合させて昇降自在とするガイドローラ３を備える。また、建枠の横架材Ｄに係止する係止片１９を回動自在に軸着した水平ロッド４を枠体の両側端部から中央部付近まで伸ばして左右一対配設する。水平ロッド４は手動操作によって水平方向に移動自在として係止片１９を建枠係止位置に進退自在とする。そして、水平ロッド４を中央部へ引き寄せる力を解放すれば係止片１９を係止位置に戻す方向へと付勢させるバネ体２４と、係止片１９が下方へ回動しても係止位置へと戻す方向に付勢させるバネ体２５を備える。【選択図】  図２
2004308229.tif 000002
【特許請求の範囲】
【請求項１】
建枠を上方向並びに水平方向に所望数配置して組み上げる枠組足場の建枠間に設置される枠組足場用手摺枠であって、手摺枠の両側部には隣接する建枠の脚柱に係合させて建枠の脚柱に沿って昇降自在とするガイドローラを備え、該ガイドローラの上位には隣接する建枠の横架材に係止する係止片を上下方向に回動自在に軸着し、かつ該係止片を建枠の係止位置に対し水平方向に進退自在に操作する水平ロッドを備え、該水平ロッドは手摺枠の両側部から中央部付近まで伸ばして左右一対配設すると共に、水平ロッドを中央部へと寄せる力を解放すれば係止片を元の係止位置に戻す方向へと付勢させる付勢手段と、係止片が隣接する建枠の横架材に接触して下方へ回動しても元の係止位置へと戻す方向に付勢させる付勢手段とを備えたことを特徴とする枠組足場用手摺枠。
【請求項２】
前記手摺枠には、隣接する手摺枠同士を連結し、かつ連結した手摺枠をそれら手摺枠間に位置する建枠の脚柱に固定して支持する連結固定手段を備えたことを特徴とする請求項１記載の枠組足場用手摺枠。
【発明の詳細な説明】
【０００１】
【発明の属する技術分野】
本発明は、土木、建築などの工事現場において、建築物の外壁などに沿って設置する枠組足場に取り付けられる手摺枠に関する。
【０００２】
【従来の技術】
土木、建築などの工事現場においては、建枠を上方向並びに水平方向に所望数配置して枠組足場を構築する。この枠組足場の組み立て、解体作業時には、作業員は最上段の足場の上に乗って専ら作業を行うこととなり、その際には周囲に安全のための柱や手摺などが無いことがあり、恐怖感を憶えると共に、転落などの危険も大きいという問題があった。
【０００３】
そこで、こうした危険を解消するために、例えば、特開平７−２７９４０４号公報では、上段の足場の組み立てに先だって上方に移動させることができる手摺枠（墜落防止用ガード）が示されている。この手摺枠を図２０乃至図２３に基づいて簡単に説明すると、枠組足場Ａは、脚柱Ｃと横架材Ｄとからなる門形状の建枠Ｂを上方向並びに水平方向に配置し、隣接する建枠Ｂ間に足場板Ｅと筋交いＦとを掛け渡して構成されており、この隣設する建枠Ｂの脚柱Ｃ間に枠体状の手摺である手摺枠１０１が配置されている。この手摺枠１０１の両側部には建枠Ｂの脚柱Ｃに係合させてガイドローラ１０２を備えており、作業者が手摺枠１０１を上下方向に押し上げたり引き下げたりすれば建枠Ｂの脚柱Ｃに沿って手摺枠１０１を昇降できるようにしている。また、手摺枠１０１の両側端部にはストッパ１０３を備えており、該ストッパ１０３を建枠Ｂの横架材Ｄに係止させて手摺枠１０１を支持するようにしている。
【０００４】
そして、枠組足場の組み立て時には、作業者は、下段の足場にいながら手摺枠１０１を建枠Ｂの脚柱Ｃに沿って押し上げて上段位置まで上昇させ、ストッパ１０３を建枠Ｂの横架材Ｄに係止させて最上段の足場板Ｅの側部に手摺枠１０１を配置し、安全を確保した後、最上段の足場板Ｅの上に立って上段の足場の組み立てを行う。また、枠組足場の解体時には、作業者は、最上段の足場板Ｅの上に立って手摺枠１０１を残したまま周囲の建枠Ｂを解体し、手摺枠１０１をそのままにして下段の足場に降り、手摺枠１０１を建枠Ｂの脚柱Ｃに沿って引き下げ、下段の足場板Ｅの側部に手摺枠１０１を配置した後、上方の足場板Ｅを解体する。
【０００５】
したがって、枠組足場Ａの組み立てや解体時に、手摺枠１０１を建枠Ｂの脚柱Ｃに沿って昇降させながら最上段の足場板Ｅ側部に常に手摺枠１０１を配置させた上で作業を行えるので、安全に組み立てや解体作業を行うことができる。
【０００６】
ところで、前記ストッパ１０３の構造をもう少し詳細に説明すると、ストッパ１０３は、図２３に示すように、係止片１０４を手摺枠１０１の枠体１０５に対して上下方向に回動自在に軸着してあり、係止片１０４には建枠Ｂの横架材Ｄに係止する係止溝１０６を形成すると共に、係止片１０４の内端部とガイドローラ１０２を構成する部材とをバネ体１０７にて連結し、通常は係止片１０４が水平状態を保つように付勢させている。
【０００７】
そして、手摺枠１０１を押し上げるときには、係止片１０４が建枠Ｂの横架材Ｄに接触すると、図２３の二点鎖線で示すように、係止片１０４は下方へ回動して横架材Ｄを回避し、係止片１０４が横架材Ｄ位置を完全に通り過ぎると、バネ体１０７の付勢力によって係止片１０４は元の水平状態に復帰し、そのまま手摺枠１０１を降ろせば係止片１０４が横架材Ｄに係止されて手摺枠１０１が支持される。
【０００８】
また、手摺枠１０１を引き下げるときには、手摺枠１０１を若干押し上げて係止片１０４の横架材Ｄへの係止を解除した後、係止片１０４を手にとって下方に回動させた状態で手摺枠１０１を引き下げていき、係止片１０４が横架材Ｄ位置を通り過ぎてから係止片１０４から手を離せば、バネ体１０７の付勢力によって係止片１０４が元の水平状態に復帰し、そのまま手摺枠１０１を降ろせば下段の建枠Ｂの横架材Ｄに係止されて手摺枠１０１が支持される。
【０００９】
【発明が解決しようとする課題】
しかしながら、上記の手摺枠は、手摺枠１０１両側部に位置した係止片１０４を手にとって下方に回動させた状態で手摺枠１０１を引き下げる必要があり、押し上げ時と比較して操作性が悪い欠点を有している。また、上記手摺枠１０１は係止片１０４による建枠Ｂの横架材Ｄへの係止と、ガイドローラ１０２による建枠Ｂの脚柱Ｃへの係合とによって支持させているだけなので、外れて落下してしまうおそれもある。
【００１０】
本発明は上記の点に鑑み、枠組足場の建枠の脚柱に沿って昇降自在とした手摺枠において、手摺枠の上昇時だけでなく下降時の操作性も向上させて作業効率を高め、また枠組足場からの脱落を確実に防止することのできる手摺枠を提供することを課題とする。
【００１１】
【課題を解決するための手段】
本発明は上記の課題を解決するために、請求項１記載の枠組足場用手摺枠にあっては、建枠を上方向並びに水平方向に所望数配置して組み上げる枠組足場の建枠間に設置される枠組足場用手摺枠であって、手摺枠の両側部には隣接する建枠の脚柱に係合させて建枠の脚柱に沿って昇降自在とするガイドローラを備え、該ガイドローラの上位には隣接する建枠の横架材に係止する係止片を上下方向に回動自在に軸着し、かつ該係止片を建枠の係止位置に対し水平方向に進退自在に操作する水平ロッドを備え、該水平ロッドは手摺枠の両側部から中央部付近まで伸ばして左右一対配設すると共に、水平ロッドを中央部へと寄せる力を解放すれば係止片を元の係止位置に戻す方向へと付勢させる付勢手段と、係止片が隣接する建枠の横架材に接触して下方へ回動しても元の係止位置へと戻す方向に付勢させる付勢手段とを備えたことを特徴としている。
【００１２】
また、請求項２記載の枠組足場用手摺枠にあっては、前記手摺枠には、隣接する手摺枠同士を連結し、かつ連結した手摺枠をそれら手摺枠間に位置する建枠の脚柱に固定して支持する連結固定手段を備えたことを特徴としている。
【００１３】
【発明の実施の形態】
本発明に係る請求項１記載の枠組足場用手摺枠によれば、下段から上段へ手摺枠を移設するときには、作業員は下段の足場から手摺枠を隣接する建枠の脚柱に沿ってそのまま押し上げていけば、手摺枠両側の係止片は建枠の横架材に接触すると下方に回動して回避した後、バネ体などの付勢力によって自動的に元の水平状態に復帰する。そして、そのまま手摺枠を降ろせば係止片が建枠の横架材などに係止し、手摺枠は上段の足場側部に配置される。
【００１４】
また、上段から下段へ手摺枠を移設するときには、作業員は下段の足場から手摺枠に備えた左右一対の水平ロッドをそれぞれ把持し、一旦手摺枠を若干押し上げて係止片の横架材への係止を解除した後、各水平ロッドをバネ体などの付勢力に抗して枠体中央側に引き寄せる。これによって、水平ロッド先端に固着した係止片は建枠への係止位置よりも後退し、そのまま下方に引き下げれば何の障害もなく下降させることができる。そして、各水平ロッドを枠体中央側に引き寄せていた力を解放すると、各水平ロッドはバネ体などの付勢力によって元の位置に戻り、これに伴って係止片も建枠への係止位置へと戻る。そして、手摺枠をそのまま下段の建枠の横架材位置まで下降させれば、係止片が横架材へ係止されて手摺枠が支持される。
【００１５】
このように、手摺枠を下段の足場に下降させるときに、作業員は手摺枠の左右一対の水平ロッドを操作することによって係止片と建枠の横架材との干渉を回避させることができ、一人であっても容易に、かつ効率良く足場の解体作業を行うことができる。
【００１６】
また、請求項２記載の枠組足場用手摺枠によれば、手摺枠に連結固定手段を備え、隣接する手摺枠同士を連結すると共に、一体に連結した手摺枠をそれら手摺枠間に位置する建枠の脚柱に固定して支持するようにしたので、もし万が一、手摺枠の係止片が横架材から外れてしまうようなことがあっても、手摺枠は少なくとも連結固定手段によって建枠に固定支持されており、直ちに建枠から脱落してしまうようなおそれはない。
【００１７】
【実施例】
以下、本発明の実施例を図１乃至図１９に基づいて説明する。
【００１８】
図１は本発明に係る手摺枠１を枠組足場Ａに取り付けた状態を説明する図であって、枠組足場Ａは、対向して立設した一対の建枠Ｂと、これら建枠Ｂの脚柱Ｃ同士を連結する筋交いＦ、及び建枠Ｂの横架材Ｄ間に架設する足場板Ｅとから成り、これを上方向並びに水平方向に所望数を設置して構成している。そして、手摺枠１は隣設される建枠Ｂ間に昇降自在に取り付けている。
【００１９】
前記手摺枠１は、アルミ製の枠体２からなる手摺であって、枠体２は、図２に示すように、複数の水平管と垂直管、及び略Ｃ字形状の管体を連結した構造をしている。また、枠体２の両側部にはガイドローラ３を備えていると共に、枠体２の両側の垂直管２ａから略Ｃ字形状に形成した曲管２ｂの垂直部にかけて左右一対の水平ロッド４を配設している。
【００２０】
前記ガイドローラ３は、図３乃至図５にて詳細に示すように、枠体２の垂直管２ａと平行に配した略コ字形状のローラ受け５の上下位置に、一対のローラ６をそれぞれ回動自在に軸着すると共に、枠体２の垂直管２ａを直交方向に貫通させた操作ロッド７の一端を前記ローラ受け５に固着する一方、操作ロッド７の他端側は垂直管２ａに固着した円筒状の筒体８内を挿通させ、操作ロッド７端部を筒体８端部から突出させている。また、前記筒体８内部には円筒状のバネ体９を内装しており、該バネ体９内に操作ロッド７を挿通させると共に、操作ロッド７にはバネ体９固定用のピン１０を貫通して固定し、操作ロッド７の先端部には操作ハンドル１１を回動自在に軸着している。
【００２１】
そして、手摺枠１の脚柱Ｃへの取り付け時には、図３及び図４に示すように、操作ハンドル１１を手摺枠１の垂直管２ａと略平行位置に回動操作する。すると、バネ体９の伸長に伴って操作ロッド７は枠体２の外方へ付勢されて押し出され、その結果ローラ６の内周面が脚柱Ｃの外周面を押圧しながら係合する。一方、手摺枠１を脚柱Ｃから取り外すときには、図５に示すように、操作ハンドル１１を手摺枠１の垂直管２ａに対して略直交方向位置に回動操作する。この操作によって操作ロッド７は枠体２の内方へと引き寄せられ、その結果、ローラ６は脚柱Ｃと離れて手摺枠１を取り外せるようになる。
【００２２】
また、ローラ受け５の外方側を脚柱Ｃの略中心位置まで臨ませるように延設すると共に、ローラ受け５の内方側にはガイド材１２を備え、同様にその先端を脚柱Ｃの略中心位置まで臨ませており、脚柱Ｃに係合したローラ６が脚柱Ｃから外れるのを防止するように図っている。
【００２３】
ここで、前記ガイド材１２は、軸体１３にてローラ受け５に対して回動自在に軸着していると共に、前記軸体１３の他端側にはガイド材１２と平行に同調円板１４を軸着している。また、前記同調円板１４には内側に突起片１５を突設していると共に、軸体１３には略Ｌ字形状のバネ体１６を固着し、またローラ受け５の外方側の内側には前記バネ体１６の両端部をそれぞれ掛け止めるための掛け止め片１７を突設している。
【００２４】
そして、手摺枠１を昇降させるときに、ガイド材１２が横架材Ｄなどに当接すると、図６に示すように、ガイド材１２は下方へ回動しながら横架材Ｄを回避していく。このとき、その動作に応じて同調円板１４も同様に回動し、突起片１５がバネ体１６の一方端を押し上げていき、その結果バネ体１６は屈曲されていく。そして、ガイド材１２が横架材Ｄ位置を通り過ぎると、バネ体１６の復元力によって同調円板１４は再び元の位置に復帰し、その動作に応じてガイド材１２も水平状態へと復帰する構造としている。
【００２５】
水平ロッド４は、枠体２の両側の垂直管２ａから略Ｃ字形状に形成した曲管２ｂの垂直部にかけて水平に左右一対配設しており、図７乃至図１０にて詳細に示すように、水平ロッド４の内方端は曲管２ｂに固設した管体１８内に摺動自在に挿通させていると共に、外方先端には建枠Ｂの横架材Ｄへ係止させる係止片１９をネジ２０にて上下方向へ回動自在に軸着している。
【００２６】
２１は垂直管２ａに固設した水平ロッド４支持用の支持体であって、該支持体２１の一端面には丸孔２２を穿設していると共に、他端面にはスリット２３を切り欠いており、水平ロッド４の外方端を前記丸孔２２を介して支持体２１内部へ臨ませていると共に、水平ロッド４先端の係止片１９を前記スリット２３を介して支持体２１外部へ突出させている。また、支持体２１内部にはバネ体２４を内装し、該バネ体２４内に水平ロッド４を挿通させると共に、係止片１９の基端側には略Ｌ字形状のバネ体２５を備えている。
【００２７】
そして、通常時は、バネ体２４、２５の付勢力により、係止片１９は図７及び図８に示すような建枠への係止位置に位置しており、手摺枠１を上段の足場へ移設するときに、係止片１９の上端側が建枠Ｂの横架材Ｄに当接すると、図９に示すように、係止片１９は下方へ回動して横架材Ｄを回避する。そして、完全に横架材Ｄ位置を通り過ぎると、バネ体２５の復元力により、係止片１９は図７で示した元の位置へと直ちに復帰し、建枠Ｂの横架材Ｄに係止できるようになる。なお、係止片１９は上方へ最大に回動したときでも、スリット２３の上端に当接し、図７に示した水平位置よりも上方へは回動しないように規制している。
【００２８】
一方、手摺枠１を下段の足場へ移設するときには、水平ロッド４を握ってバネ体２４の付勢力に抗して枠体２内方へと引き寄せ、係止片１９を図１０に示す位置まで後退させる。なお、支持体２１の背面側にはネジ２０を挿通させた長孔２６を穿設しており、ネジ２０を長孔２６の前後端に当接させることで水平ロッド４の可動範囲を規制している。そして、この状態のまま手摺枠１を下方へ移動させれば、係止片１９は横架材Ｄなどを回避でき、回避後、水平ロッド４を引き寄せる手を緩めると、バネ体２４の復元力によって係止片１９は直ちに元の位置に復帰し、下段の建枠Ｂの横架材Ｄに係止可能となる。
【００２９】
また、図中の２７は、側方に隣り合う手摺枠１同士を連結し、かつ連結した手摺枠１をその間に位置する建枠Ｂの脚柱Ｃに固定する連結固定手段であって、該連結固定手段２７は、図１１乃至図１５にて詳細に示すように、連結固定具２８と垂直管２ａに固着した受け金具２９から成っている。また、前記連結固定具２８は、図１５に示すように、略左右対称な形状をした一対の係止金具３０、３０´と、管体３１、及び差込金具３２から成っている。
【００３０】
前記係止金具３０、３０´は、図１５に示すように、平板３３、３３´の一端側に所定角度に折曲した挟持片３４、３４´を固着していると共に、平板３３、３３´の長手方向に沿ってスリット３５、３５´をそれぞれ穿設している。また、前記挟持片３４、３４´には略Ｌ字形状の係止ピン３６、３６´の一端を貫通させて平板３３、３３´の長手方向と平行に備えると共に、他端を平板３３、３３´の長手方向と直交方向に突出させている。また、前記管体３１は、内部に係止ピン３６、３６´を嵌入可能な管状体である。また、前記差込金具３２は、上端部がスリット３５、３５´と略同幅で、下端部に向かうほど漸次幅が狭くなるような構造をしている。３７は差込金具３２の抜け止め用のネジである。
【００３１】
そして、係止金具３０、３０´と、管体３１、及び差込金具３２とを組み合わせて、連結固定具２８とするには、図１５に示すように、各係止金具３０、３０´を対向させ、それぞれの係止ピン３６、３６´を管体３１内へ左右から嵌入させて連結する。このとき、各係止金具３０、３０´のスリット３５、３５´は、それぞれの一部が重なって上下方向に挿通可能な状態となっており、そのスリット３５、３５´が重なった部分へ上方から差込金具３２を挿入した後、その先端に抜け止め用にネジ３７を取り付けて連結固定具２８の組み合わせを完了する。
【００３２】
前記連結固定具２８を用いて隣設する手摺枠１同士を連結する場合には、先ず、図１１及び図１２に示すように、各手摺枠１の垂直管２ａに固着した受け金具２９に連結固定具２８の係止ピン３６、３６´をそれぞれ係止させる。このとき、各挟持片３４、３４´の先端の間隔は脚柱Ｃの幅よりも広く保たれており、脚柱Ｃは各挟持片３４、３４´間に余裕を持って収まった状態となる。次に、差込金具３２を下方へと差し込んでいくと、差込金具３２の幅が漸次拡幅していくため、スリット３５、３５´の端部と差込金具３２の端部とが当接していき、係止金具３０、３０´は次第に中央寄りに引き寄せられ、ついには図１３及び図１４に示すように、受け金具２９の窪みに係止ピン３６、３６´がしっかりとはまり込んで隣設する手摺枠１同士を連結する。このとき、各挟持片３４、３４´の間隔も狭まり、その間に収まっていた脚柱Ｃを挟み付けて強固に固定支持する。
【００３３】
したがって、もし万が一、前記した手摺枠１の係止片１９が建枠Ｂの横架材Ｄから外れてしまうようなことがあっても、手摺枠１は連結固定手段２７によって建枠Ｂに固定支持されており、直ちに脱落してしまうようなおそれがない。
【００３４】
しかして、この手摺枠１を枠組足場Ａに取り付ける場合には、先ず、枠体２両側部に備えた各ガイドローラ３の操作ハンドル１１を水平に起こし、各ローラ６を枠体２中央寄りに後退させる。続いて、枠組足場Ａの隣設する建枠Ｂの各脚柱Ｃへ前記各ローラ６を臨ませた後、操作ハンドル１１を縦向きに回動して各ローラ６を枠体２両側へ前進させ、各ローラ６を脚柱Ｃの外周面に係合させる。そして、そのまま手摺枠１を下方へ降ろしていくと、係止片１９が建枠Ｂの横架材Ｄに係止して支持される。
【００３５】
次に、枠組足場Ａを上方へ積み上げるときには、先ず、手摺枠１を上段へ移設する。作業員は手摺枠１の枠体２を手にとり、両側の脚柱Ｃに沿ってそのまま上方へ押し上げていく。このとき、途中で係止片１９が建枠Ｂの横架材Ｄに当接するが、係止片１９は下方へと回動して横架材Ｄを回避し、その後自動的に元の水平状態に復帰する。そして、手摺枠１を下方へ降ろすと、係止片１９が上段側の建枠Ｂの横架材Ｄへ係止され、上段の足場側部に手摺枠１が設置される。こうして、安全を確保した後、上段の足場板Ｅを設置し、上段の足場へと上がって建枠Ｂを設置して枠組足場Ａを組み上げていくのである。
【００３６】
一方、枠組足場Ａを解体するときには、最上段の手摺枠１を残したままで、安全を確保しながら最上段の足場を解体していく。そして、最上段の足場の解体を終えると、下段の足場に移って最上段に残した手摺枠１を引き下げる。このとき、作業員は左右一対の水平ロッド４を両手で掴み、手摺枠１を若干押し上げて係止片１９の横架材Ｄへの係止を解除し、次に、摺動自在となった各水平ロッド４をバネ体２４の付勢力に抗して左右同時に枠体２中央寄りに引き寄せる。
【００３７】
水平ロッド４を引き寄せると、水平ロッド４先端の係止片１９は建枠Ｂへの係止位置よりも後退するので、その状態で手摺枠１を引き下げて係止片１９を横架材Ｄから回避させながら下段位置まで下降させる。そして、水平ロッド４を枠体２中央寄りに引き寄せていた力を緩めると、各水平ロッド４はバネ体２４の復元力によって元の位置に戻る。これによって、係止片１９は建枠Ｂへの係止位置へと復帰し、手摺枠１をそのまま下方へ降ろすと、係止片１９が下段側の建枠Ｂの横架材Ｄに係止される。これで足回りに手摺枠１が設置されるので、前記と同様にして安全を確保しながらその段の解体作業を行っていく。
【００３８】
このように、手摺枠１の上段への移設は手で持ち上げるだけで良く、また、下段への移設も左右一対の水平ロッド４を両手で掴んで枠体２中央寄りに引き寄せてから引き下げるだけなので、一人の作業員でも容易に、かつ効率良く作業を行うことができる。
【００３９】
また、手摺枠１が水平方向に複数設置されると、隣接する手摺枠１の受け金具２９に連結固定具２８を係止させて連結し、その間に位置する建枠Ｂの脚柱Ｃを挟持させて固定支持させる。これによって、例え何かの拍子で手摺枠１の係止片１９が建枠Ｂの横架材Ｄから外れるようなことがあったとしても、手摺枠１は連結固定具２８にて建枠Ｂに強固に支持されていて脱落するおそれはない。
【００４０】
図１６乃至図１９は、手摺枠１の係止片１９を水平方向に進退自在とする他のの実施例を示したものである。図中において図１乃至図１０と同一符号は同一構成要素を示し、変形した部分についてのみ簡単に説明する。
【００４１】
係止片１９を水平方向に移動操作する水平ロッド４は、曲管２ｂの垂直部と平行な操作管３８に連結してある。該操作管３８は曲管２ｂの垂直部と連結具３９によって連結されると共に、操作管３８は連結具３９の長さ範囲内で水平移動可能となっている。
【００４２】
水平ロッド４はリンク材４０にピン４１にて連結する一方、リンク材４０の一端を垂直管２ａにピン４２にて支持し、他端部を垂直管２ａに固定した支持板４３を貫通したピン４４によって係止片１９と共にピン止めされている。そして、リンク機構によって係止片１９を進退させれるように、支持板４３にはピン４４摺動用の長孔４５を、リンク材４０にはピン４４摺動用の長孔４６とピン４１摺動用の長孔４７とを穿設している。また、係止片１９を元の係止位置に復帰させるために、係止片１９と支持板４３とをコイルバネ４８によって連結している。
【００４３】
係止片１９は通常時には、図１７で示すように、コイルバネ４８の復元力によって脚柱Ｃの横架材Ｄに係止できる状態となっている。そして、手摺枠１を上段の建枠へと引き上げるときには、左右一対の曲管２ｂの垂直部と操作管３８をそれぞれ手で掴んで少し上方に持ち上げてから操作管３８を曲管２ｂの垂直部側に引き寄せ、図１８に示すように、コイルバネ４８を伸張させながら係止片１９を後退させて脚柱Ｃの横架材Ｄへの係止を解除し、この状態で上段の建枠へと移動させる。そして、上段の建枠へと移動させると、操作管３８を握る手を緩めることによって係止片１９はコイルバネ４８の復元力により元の係止位置に復帰し、上段建枠の横架材Ｄに係止可能となる。
【００４４】
また、手摺枠１を押し上げるときには、図１９に示すように、手摺枠１を持ち上げて係止片１９を脚柱Ｃの横架材Ｄに接触させると、係止片１９は下方へと回動退避して横架材Ｄを通過でき、横架材Ｄを通過後、コイルバネ４８の復元力によって係止片１９は元の位置に復帰し、下段建枠の横架材Ｄに係止可能となる。
【００４５】
このように、上記手摺枠１は左右一対の曲管２ｂの垂直部と操作管３８を掴み、操作管３８を握りしめたり、離したりすることによって係止片１９を進退させて係止及び係止解除の操作ができるようにしてあり、高所にて作業者が取り扱い易いようにしている。
【００４６】
【発明の効果】
以上のように本発明に係る請求項１記載の枠組足場用手摺枠によれば、建枠を上方向並びに水平方向に所望数配置して組み上げる枠組足場の建枠間に設置される枠組足場用手摺枠であって、手摺枠の両側部には隣接する建枠の脚柱に係合させて建枠の脚柱に沿って昇降自在とするガイドローラを備え、該ガイドローラの上位には隣接する建枠の横架材に係止する係止片を上下方向に回動自在に軸着し、かつ該係止片を建枠の係止位置に対し水平方向に進退自在に操作する水平ロッドを備え、該水平ロッドは手摺枠の両側部から中央部付近まで伸ばして左右一対配設すると共に、水平ロッドを中央部へと寄せる力を解放すれば係止片を元の係止位置に戻す方向へと付勢させる付勢手段と、係止片が隣接する建枠の横架材に接触して下方へ回動しても元の係止位置へと戻す方向に付勢させる付勢手段とを備えたので、枠組足場の設置及び解体に応じて手摺枠の上昇、下降時でも一人の作業員でも容易に、かつ効率良く作業を行える。
【００４７】
また、請求項２記載の枠組足場用手摺枠によれば、前記手摺枠には、隣接する手摺枠同士を連結し、かつ連結した手摺枠をそれら手摺枠間に位置する建枠の脚柱に固定して支持する連結固定手段を備えたので、枠組足場からの手摺枠の脱落を確実に防止することができる。
【図面の簡単な説明】
【図１】本発明に係る枠組足場用手摺枠を枠組足場に取り付けた状態を示す正面図である。
【図２】図１の要部拡大図である。
【図３】ガイドローラを建枠の脚柱に係合させた状態を示す一部切り欠き正面図である。
【図４】図３の一部切り欠きＷ−Ｗ断面図である。
【図５】ガイドローラを建枠の脚柱から後退させた状態を示す図３に相当する図である。
【図６】手摺枠を上昇させる際に、建枠の横架材に当接したガイド材が横架材を回避する状態を示す図３に相当する図である。
【図７】係止片を建枠の横架材に係止させた状態を示す正面図である。
【図８】図７のＸ−Ｘ断面図である。
【図９】手摺枠を上昇させる際に、建枠の横架材に当接した係止片が横架材を回避する状態を示す図７に相当する図である。
【図１０】手摺枠を下降させる際に、水平ロッドの引き寄せ操作によって係止片を後退させて建枠の横架材を回避する状態を示す図７に相当する図である。
【図１１】隣接する手摺枠同士を連結固定手段にて連結する直前の状態を示す正面図である。
【図１２】図１１のＹ−Ｙ断面図である。
【図１３】隣接する手摺枠同士を連結固定手段にて連結した状態を示す正面図である。
【図１４】図１３のＺ−Ｚ断面図である。
【図１５】連結固定具の組み立て工程を説明する図である。
【図１６】手摺枠の他の実施例を示す正面図である。
【図１７】図１６の係止片を建枠の横架材に係止させた状態を示す正面図である。
【図１８】手摺枠の係止片を後退させた状態を示す図１７に相当する図である。
【図１９】手摺枠の係止片が下方へ回動する状態を示す図１７に相当する図である。
【図２０】従来例を示す、図１に相当する図である。
【図２１】図２０の側面図である。
【図２２】従来例を示す、図３に相当する図である。
【図２３】従来例のストッパ部分を説明する図である。
【符号の説明】
１…手摺枠                    ２…枠体
３…ガイドローラ              ４…水平ロッド
１９…係止片                  ２４、２５…バネ体（付勢手段）
２７…連結固定手段            ２８…連結固定具
２９…受け金具                ３８…操作管
４８…コイルバネ
Ａ…枠組足場                  Ｂ…建枠
Ｃ…脚柱                      Ｄ…横架材
Ｅ…足場板                    Ｆ…筋交い
【図１】
2004308229.tif 000003
【図２】
2004308229.tif 000004
【図３】
2004308229.tif 000005
【図４】
2004308229.tif 000006
【図５】
2004308229.tif 000007
【図６】
2004308229.tif 000008
【図７】
2004308229.tif 000009
【図８】
2004308229.tif 000010
【図９】
2004308229.tif 000011
【図１０】
2004308229.tif 000012
【図１１】
2004308229.tif 000013
【図１２】
2004308229.tif 000014
【図１３】
2004308229.tif 000015
【図１４】
2004308229.tif 000016
【図１５】
2004308229.tif 000017
【図１６】
2004308229.tif 000018
【図１７】
2004308229.tif 000019
【図１８】
2004308229.tif 000020
【図１９】
2004308229.tif 000021
【図２０】
2004308229.tif 000022
【図２１】
2004308229.tif 000023
【図２２】
2004308229.tif 000024
【図２３】
2004308229.tif 000025